(57)【特許請求の範囲】
【請求項１】
空気取入口８を有するフード２と、この空気取入口８から空気とともに油煙を取り入れてフィルター１１を通して外部に排出する送風機３と、パネル体４を備え、
前記フード２は、レンジフード取付部１に取り付けられ、
前記パネル体４は、その下端部を、前記レンジフード取付部１における前記フード２よりも下方の位置にヒンジ４７で上下回動自在に取り付けることで、当該下端部を回動支点として、上端部をフード２の空気取入口８よりもレンジフード取付部１寄りの下部と連続させた状態の縦向姿勢と、前記上端部がフード２の下部と離隔した状態の横向姿勢とに亘って上下回動可能とし、
このパネル体４の背面に水中ポンプ５２と給水ホース３８と排水ホース３９が設けてあり、その給水ホース３８はフード２内に設けた洗浄液噴出部３０に接続し、前記排水ホース３９はフード２の洗浄液排出部に接続していることを特徴とするレンジフード。
【請求項２】
前記水中ポンプ５２の駆動時間を設定する洗浄タイマー５７を設けた請求項１記載のレンジフード。
【請求項３】
前記洗浄タイマー５７は、洗浄周期を選択する形状で、かつ選択した洗浄周期に最適なる洗浄時間だけ水中ポンプ５２の駆動時間を設定するものである請求項２記載のレンジフード。
【請求項４】
前記フード２内部の洗浄終了後に、所定時間乾燥通風する機能を有する請求項１又は２又は３記載のレンジフード。
【発明の詳細な説明】
【０００１】
【発明の属する技術分野】
本発明は、調理時に発生する煙り、湯気、臭気等を吸込んで外部に排出するレンジフード、詳しくはフード内面やフィルター等のフード内部を洗浄する装置を備えたレンジフードに関する。
【０００２】
【従来の技術】
レンジフードはレンジの上方に設置され、調理時に発生する煙り、湯気、臭気等（以下油煙という）を吸込んで外部に排出するものである。
【０００３】
このレンジフードの一例としては、油煙を捕獲するフードに送風機とフィルターを取付け、送風機を駆動することで油煙を吸込み、吸込んだ油煙の油分などをフィルターで捕集して油分などの少ない空気とし、その空気を排出ダクトなどを通して外部に排出するものが知られている。
【０００４】
前述のレンジフードであると、フード内面やフィルター等のフード内部に油分などが付着するので、油煙と接触する部分に油が付着しにくい塗装を施したり、その部分を油が付着しにくい塗装鋼板としたり、あるいは油との接触面積を極力少なくするなどの方策が取られてきた。
【０００５】
このような方策が取られたレンジフードであれば、油煙の付着が減少するし、付着した油煙の清掃が容易である。
しかし、前述のような方策が取られたレンジフードであっても、付着した油煙の放置日数が月単位に達すると油煙の酸化により油煙の粘度が増加して、清掃が難しくなる。
【０００６】
このことを解消するレンジフードが特開平１１−６３６１１号公報に開示されている。
具体的には、フードに洗浄液噴射部と、洗浄液ポンプと、洗浄液タンクを取付け、洗浄液タンク内の洗浄液を洗浄液ポンプで洗浄液噴射部に圧送し、その洗浄液噴射部でフード内面やフィルターに噴きつけて付着した油煙を洗浄するレンジフードである。
【０００７】
【発明が解決しようとする課題】
かかるレンジフードであると長時間運転・放置すると洗浄液タンク内の洗浄液が自然蒸発、汚れ等するので、洗浄液を補給、交換する必要がある。
しかしながら、洗浄液タンクはフードに取付けてあるので、その洗浄液タンクは高い位置にあるので、その洗浄液タンク内の洗浄液を床から補給、交換するには労力を要する。
【０００８】
そこで、本発明は前述の課題を解決できるようにしたレンジフードを提供することを目的とする。
【０００９】
【課題を解決するための手段】
第１の発明は、空気取入口８を有するフード２と、この空気取入口８から空気とともに油煙を取り入れてフィルター１１を通して外部に排出する送風機３と、パネル体４を備え、
前記フード２は、レンジフード取付部１に取り付けられ、
前記パネル体４は、その下端部を、前記レンジフード取付部１における前記フード２よりも下方の位置にヒンジ４７で上下回動自在に取り付けることで、当該下端部を回動支点として、上端部をフード２の空気取入口８よりもレンジフード取付部１寄りの下部と連続させた状態の縦向姿勢と、前記上端部がフード２の下部と離隔した状態の横向姿勢とに亘って上下回動可能とし、
このパネル体４の背面に水中ポンプ５２と給水ホース３８と排水ホース３９が設けてあり、その給水ホース３８はフード２内に設けた洗浄液噴出部３０に接続し、前記排水ホース３９はフード２の洗浄液排出部に接続していることを特徴とするレンジフードである。
【００１０】
第２の発明は、第１の発明において前記水中ポンプ５２の駆動時間を設定する洗浄タイマー５７を設けたレンジフードである。
【００１１】
第３の発明は、第２の発明において前記洗浄タイマー５７は、洗浄周期を選択する形状で、かつ選択した洗浄周期に最適なる洗浄時間だけ水中ポンプ５２の駆動時間を設定するものであるレンジフードである。
【００１２】
第４の発明は、第１又は第２又は第３の発明において前記フード２内部の洗浄終了後に、所定時間乾燥通風する機能を有するレンジフードである。
【００１３】
【作  用】
第１の発明によれば、パネル体４を横向姿勢とすればパネル体４、水中ポンプ５２、給水ホース３８の端部、排水ホース３９の端部がフード２よりも低い位置となるので、そのパネル体４に洗浄液を入れた洗い容器６０を置き、水中ポンプ５２の吸込口を洗い容器６０内に入れると共に、排水ホース３９を洗い容器６０内に入れる。
この状態で水中ポンプ５２を駆動することで洗い容器６０内の洗浄液が給水ホース３８を通して洗浄液噴出部３０からフード２内部に噴きつけられ、フード２内部を洗浄する。
洗浄した洗浄液は排水ホース３９を通して洗い容器６０内に流れる。
フード２内部を洗浄後はパネル体４から洗い容器６０をおろし、パネル体４を縦向姿勢とする。
【００１４】
このようであるから、フード２内部を洗浄液で洗浄できる。
また、フード２より低い位置で洗浄液を入れた洗い容器６０をパネル体４に置いて洗浄し、洗浄後に洗い容器６０をおろし洗浄液を流し捨てるので、従来のようにフード２部分において洗浄液の補給、交換作業が不要である。
しかも、横向姿勢としたパネル体４は低い位置で床からの高さが低いので、洗い容器６０をパネル体４に置いたり、おろしたりする作業の労力が低減する。
【００１５】
パネル体４を縦向姿勢とすれば水中ポンプ５２、給水ホース３８、排水ホース３９がパネル体４の背面に収納されて表面から見えないので、見栄えが良い。
また、調理時に発生した油煙はパネル体４の表面に沿ってフード２の空気取入口８まで上昇するので、パネル体４は油煙の上昇気流ガイドとしての機能を有する。
【００１６】
第２の発明によれば、洗浄タイマー５７により洗浄時間を設定できるので、洗浄作業が容易である。
【００１７】
第３の発明によれば、使用者は前回の洗浄から今回洗浄するまでの洗浄周期をセットすることで、その洗浄周期に最適な時間だけ洗浄できるから、簡単な操作で効率良く洗浄できる。
【００１８】
第４の発明によれば、洗浄終了後にレンジフードを所定時間乾燥運転することが可能であり、フード２内部を洗浄液等が付着しない乾燥状態とすることができる。
【００１９】
【発明の実施の形態】
図１に示すように、建家の壁等のレンジフード取付部１の上方に取付けたフード２と、このフード２の上部に取付けた送風機３と、前記レンジフード取付部１の下部に取付けたパネル体４でレンジフードを形成する。
前記フード２は図２に示すように、下面板５と上面板６と周面板７で箱状体であり、下面板５には空気取入口８が形成され、その空気取入口８の開口縁に沿ってリング状の立上り部９がフード２内に向けて一体的に設けてある。具体的には下面板５を打ち抜き加工すると共に、その周縁をフード２内に向けて折り曲げ加工してある。前記上面板６には吸込口１０が形成してあり、この吸込口１０にフィルター１１が取付けてある。
前記下面板５は水平に対して左右一端部（レンジフード取付部１寄り部）が低くなるように斜めとなり、その下面板５の低くなった左右一端部に洗浄液を溜める凹部１２が形成してある。
【００２０】
前記送風機３はケーシング１３内にファン１４を設け、このファン１４を電動モータ１５で回転駆動するようにしてある。ケーシング１３の入口１６がフード２の吸込口１０に連通し、出口１７がダクト１８に連通している。
このダクト１８は天井パネル１９を貫通し、天井裏を通って外部まで配設される。
【００２１】
前記フード２内には洗浄液カバー２０が配設され、この洗浄液カバー２０は平板２１の周縁に沿って下向片２２を一体的に設けた下向き皿形状で、前記立上り片９を覆っている。
【００２２】
前記洗浄液カバー２０は昇降機構２３で上下動される。前記昇降機構２３はモータ２４で回転されるピニオン２５と、このピニオン２５に噛合して上下動自在に支承されたラック２６と、このラック２６に連結された縦杆２７を備え、その縦杆２７を前記洗浄液カバー２０に連結してある。
【００２３】
モータ２４でピニオン２５を正転、逆転することで洗浄液カバー２０が上下動し、空気取入口８を開放したり、閉じる。前記立上り部９の内面に沿ってゴムなどの弾性体２８が連続して取付けてあり、洗浄液カバー２０を下方に移動して閉じると、弾性体２８に洗浄液カバー２０の下向片２２が圧着してフード２の内部と外部を気密、水密して空気、洗浄水が洩れないようにしてある。
【００２４】
前記フード２内には洗浄液噴出部３０がフィルター１１、フード２の内面、つまり、フード２内部に対向して配設してある。この洗浄液噴出部３０はノズル本体３１を備え、このノズル本体３１を送水パイプ３２の先端部にほぼ水平面に沿って回転自在に取付けてある。
前記ノズル本体３１は長手方向中央部にフィルター用ノズル３３が設けられ、長手方向両端寄り部にフード用ノズル３４が設けられ、長手方向両端部に回転用ノズル３５が設けてある。前記フィルター用ノズル３３は真上及び斜め上に向ってフィルター１１に向う形状で、前記フード用ノズル３４はほぼ水平に向ってフード２の内面に向う形状で、回転用ノズル３５は水平方向一側に向う形状である。
【００２５】
前記各ノズルはノズル本体３１内の流路（図示せず）を経て送水パイプ３２に連通し、その各ノズルから洗浄液が噴出される。
回転用ノズル３５から噴出される洗浄液のいきおいでノズル本体３１が回転し、フード用ノズル３４から噴出された洗浄液がフード２の内面に順次噴射されると共に、フィルター用ノズル３３からフィルター１１に洗浄液が噴射される。
前記送水パイプ３２はフード２内部、例えば隔壁３６に固定され、この送水パイプ３２の端部（つまり給水口３７）は前記凹部１２の底面から下方に突出している。
前記給水口３７に給水ホース３８の一端部が接続してある。前記凹部１２の底部（排水部）に排水ホース３９の一端部が接続してある。
【００２６】
前記パネル体４は図３に示すように、矩形状の表面板４０と、この表面板４０の両側縁に一体的に設けた三角形状の一対の側面板４１で略コ字形状で、前記表面板４０の上端部４０ａに取付用孔４２が形成してある。
前記パネル体４の幅寸法（一対の側面板４１間の寸法）はフード２の幅寸法よりも若干大きい。
【００２７】
前記一対の側面板４１の上部寄りに長尺で薄板状の支持部材４３がピン４４で揺動自在にそれぞれ取付けてある。
この支持部材４３は側面板４１にビス４５で固着したクランク形状の第１受片４６−１と側面板４１との間に押し込みされ、前面板４０と略平行な格納姿勢に保持されている。
前記支持部材４３を手で引っ張ることで第１受片４６−１から外れ、ピン４４を中心として表面板４０よりも表面側に突出した突出姿勢に揺動可能である。
支持部材４３は突出姿勢で第２受片４６−２によって保持される。
【００２８】
前記表面板４０の下部が図１に示すようにヒンジ４７でレンジフード取付部１の下部に上下回動自在に取付けてある。そのヒンジ４７はレンジ４８の上面４８ａよりも上方位置である。
パネル体４をヒンジ４７を中心として上方に回動すると、表面板４０の上端部４０ａが図１に示すようにフード２の凹部１２の表面１２ａ（つまりフード２の下面板５の左右一端寄り部）に当接し、一対の側面板４１が凹部１２の側面１２ｂと対向する。図３に示すように凹部１２の表面１２ａに固着したねじ４９が取付用孔４２に挿通する。
このねじ４９にワッシャと回転摘みを有するナット５０を螺合することで、図１に示すようにパネル体４はほぼ垂直な姿勢、つまり縦向姿勢に固定される。なお、スリット入りのピンと孔などで固定しても良い。つまり、固定具で固定される。
【００２９】
前記ナット５０を外し、パネル体４をヒンジ４７を中心として下方に回動すると共に、支持部材４３を第１受片４６−１から外して突出姿勢とすることで、図１に仮想線及び図４に示すように支持部材４３がレンジ４８の上面４８ａに接し、パネル体４はほぼ水平姿勢、つまり横向姿勢に保持される。
【００３０】
前述のようにパネル体４が縦向姿勢に固定されると、表面板４０の背面４０ｂ（レンジフード取付部１と対向する面）とレンジフード取付部１との間にほぼ三角形状の空間５１が形成される。
この空間５１に前記給水ホース３８と排水ホース３９が収納される。
【００３１】
前記表面板４０の背面４０ｂには水中ポンプ５２が着脱自在に取付けてあり、この水中ポンプ５２は前記空間５１内に収納される。
前記水中ポンプ５２は図５に示すように、表面板４０の背面４０ｂにおける左右一側部に固着した一対の止片５３にスナップ式に取付けてあり、その水中ポンプ５２の吐出口５２ａに前記給水ホース３８の他端部が接続してある。
前記排水ホース３９の他端部は、表面板４０の背面４０ｂにおける左右他側部に固着した止片５４にスナップ式に取付けてある。
前記パネル体４の表面板４０の背面４０ｂにおける左右中央部には容器置きスペース５５を有する。
前記表面板４０の背面４０ｂにおける上部寄りに電源スイッチ５６、洗浄タイマー５７が取付けてある。これらは図示しない電源に接続されていると共に、水中ポンプ５２に接続している。
【００３２】
前述のようであるので、パネル体４を図１に実線で示す縦向姿勢とすると給水ホース３８と排水ホース３９がほぼＵ字形状にたれ下った状態で空間５１内に収納される。
パネル体４を図１に仮想線及び図４に示すように、横向姿勢とすると給水ホース３８と排水ホース３９はフード２の凹部１２とパネル体４に亘って連続する。
【００３３】
次に機能を説明する。
レンジフード使用時にはパネル体を図１に実線で示す縦向姿勢とする。洗浄液カバー２０を上方に移動して空気取入口８を開放する。
これによって、水中ポンプ５２、給水ホース３８、排水ホース３９がパネル体４とレンジフード取付部１との間の空間５１に収納され、それらが見えないので、見栄えが良い。
また、パネル体４はレンジ４８の上部寄りからフード２の凹部１２表面１２ａ（下面板５）まで連続しているので、調理時に発生した油煙の上昇気流ガイドとしての機能を有し、その油煙はフード２の空気取入口８にスムーズに流れる。
【００３４】
レンジフード洗浄時には、前述のようにナット５０を外すと共に、支持部材４３を第１止片４６−１から外し、突出姿勢とする。パネル体４をヒンジ４７を中心として図１に仮想線、図４に示す横向姿勢とする。
図４、図５に仮想線で示すように、パネル体４の表面板４０の背面４０ｂの容器置きスペース５５に洗い容器６０を置く。
この洗い容器６０には４リットルの水と泡立ちを抑えた専用洗剤を標準で４００ｃｃが入れてある。つまり、洗い容器６０には所定量の洗浄液が入れてある。
なお、フード２の内面の塗装面が親水処理されている場合は洗浄液は水のみで良い。
【００３５】
次に水中ポンプ５２を外し、この水中ポンプ５２の吸込口５２ｂを洗い容器６０の中に浸す。このようにすることで、ポンプに呼び水を与える必要がない。
洗浄液カバー２０を下方に移動して空気取入口８を閉じる。
排水ホース３９を止片５４から外し、洗い容器６０内に入れる。
以上でレンジフードの洗浄作業準備が終了する。
【００３６】
洗浄タイマー５７を６０分以内の任意の洗浄時間にセットする。つまり、洗浄タイマー５７は図６に示すように、ダイヤル５７ａと目盛５７ｂを有し、その目盛５７ｂは洗浄周期（洗浄してから再び洗浄するまでの目盛）で、その洗浄周期にダイヤル５７ａを合せることで、その洗浄周期による最適な洗浄時間がセットされる。
電源スイッチ５６をＯＮして水中ポンプ５２を駆動する。
水中ポンプ５２が駆動することで、洗い容器６０内の洗浄液が給水ホース３８、送水パイプ３２を経てノズル本体３１に圧送され、前述したようにノズル本体３１が回転しながらフード２の内面、フィルター１１に洗浄液を噴きつけて洗浄する。
洗浄した洗浄液は洗浄液カバー２０、下面板５に沿って凹部１２内に流れ込み、排水ホース３９を通って洗い容器６０内に戻る。
【００３７】
セットした洗浄時間が経過すると洗浄タイマー５７がタイムアップして水中ポンプ５２が停止する。
洗い容器６０内の洗浄液を流し捨てる。
洗い容器６０内に水４リットルを入れ、前述と同様にして水のみでリンス洗浄（フード２内面、フィルター１１に付着残留している洗浄液の洗い流し）を所定時間、例えば１０分間行う。このリンス洗浄時間も前述の洗浄タイマー５７のダイヤル５７ａをリンス洗浄目盛５７ｃに合せてセットする。
【００３８】
前述のリンス洗浄終了後に、洗浄液カバー２０を若干上方に移動して空気取入口８を少し開放し、レンジフードに既設の乾燥釦を押し、送風機３を駆動して所定時間、例えば１０分間乾燥運転する。この乾燥運転時間はレンジフードに既設のタイマーでセットする。
これによって、フード２内面やフィルター１１が水が付着していない乾燥状態となる。
【００３９】
洗い容器６０から水中ポンプ５２を取り出し、水切りした後に止片５３にスナップ式に取付ける。
排水ホース３９を洗い容器６０から取り出し、水切りした後に止片５４にスナップ式に取付ける。
洗い容器６０を持ち上げて流し台等に水を流し捨てる。
パネル体４をヒンジ４７を中心として上方に回動し、図１に実線で示す縦向きに姿勢とし、前述のようにナット５０を締付けて固定する。
【００４０】
前記洗浄液噴出部３０は多数の噴出口を有する形状で、フード２内に固定することでフード２の内面、フィルター１１に洗浄液を噴きつけるものでも良い。
また、洗浄液噴出部３０は複数の独立したノズルをフード２内に取付け、フード２の内面、フィルター１１に洗浄液を噴きつけるものでも良い。
【００４１】
前記支持部材４３はレンジを置いてあるレンジ台やカウンターに接してパネル体４を横向姿勢としても良い。
また、支持部材４３を用いずにパネル体４の表面板４０をレンジ又はカウンターに直接又はクッション材を介して接することで横向姿勢としても良い。
【００４２】
前記給水ホース３８は水中ポンプ５２の吐出口５２ａと接続、分離可能とし、パネル体４が縦向姿勢の時には給水ホース３８を分離すると共に、パネル体４が横向姿勢の時に給水ホース３８を接続しても良い。
【００４３】
【発明の効果】
請求項１に係る発明によれば、パネル体４を横向姿勢とすればパネル体４、水中ポンプ５２、給水ホース３８の端部、排水ホース３９の端部がフード２よりも低い位置となるので、そのパネル体４に洗浄液を入れた洗い容器６０を置き、水中ポンプ５２の吸込口を洗い容器６０内に入れると共に、排水ホース３９を洗い容器６０内に入れる。
この状態で水中ポンプ５２を駆動することで洗い容器６０内の洗浄液が給水ホース３８を通して洗浄液噴出部３０からフード２内部に噴きつけられ、フード２内部を洗浄する。
洗浄した洗浄液は排水ホース３９を通して洗い容器６０内に流れる。
フード２内部を洗浄後はパネル体４から洗い容器６０をおろし、パネル体４を縦向姿勢とする。
【００４４】
このようであるから、フード２内部を洗浄液で洗浄できる。
また、フード２より低い位置で洗浄液を入れた洗い容器６０をパネル体４に置いて洗浄し、洗浄後に洗い容器６０をおろし洗浄液を流し捨てるので、従来のようにフード２部分において洗浄液の補給、交換作業が不要である。
しかも、横向姿勢としたパネル体４は低い位置で床からの高さが低いので、洗い容器６０をパネル体４に置いたり、おろしたりする作業の労力が低減する。
【００４５】
パネル体４を縦向姿勢とすれば水中ポンプ５２、給水ホース３８、排水ホース３９がパネル体４の背面に収納されて表面から見えないので、見栄えが良い。
また、調理時に発生した油煙はパネル体４の表面に沿ってフード２の空気取入口８まで上昇するので、パネル体４は油煙の上昇気流ガイドとしての機能を有する。
【００４６】
請求項２に係る発明によれば、洗浄タイマー５７により洗浄時間を設定できるので、洗浄作業が容易である。
【００４７】
請求項３に係る発明によれば、使用者は前回の洗浄から今回洗浄するまでの洗浄周期をセットすることで、その洗浄周期に最適な時間だけ洗浄できるから、簡単な操作で効率良く洗浄できる。
【００４８】
請求項４に係る発明によれば、洗浄終了後にレンジフードを所定時間乾燥運転することが可能であり、フード２内部を洗浄液等が付着しない乾燥状態とすることができる。
【図面の簡単な説明】
【図１】本発明の実施の形態を示すレンジフードの全体断面図である。
【図２】フードと送風機の詳細拡大断面図である。
【図３】パネル体の斜視図である。
【図４】パネル体を横向姿勢とした状態の断面図である。
【図５】図４のＡ−Ａ断面図である。
【図６】洗浄タイマーの説明図である。
【符号の説明】
１…レンジフード取付部、２…フード、３…送風機、４…パネル体、８…空気取入口、１０…吸気口、１１…フィルター、１２…凹部、２０…洗浄液カバー、３０…洗浄液噴出部、３１…ノズル本体、３２…送水管、３８…給水ホース、３９…排水ホース、４０…表面板、４０ｂ…背面、４３…支持部材、４９…ねじ、５０…ナット、５２…水中ポンプ、５６…電源スイッチ、５７…洗浄タイマー、６０…洗い容器。
【図１】
0004544595.tif 000002
【図２】
0004544595.tif 000003
【図３】
0004544595.tif 000004
【図４】
0004544595.tif 000005
【図５】
0004544595.tif 000006
【図６】
0004544595.tif 000007